(57)【要約】【課題】  施工済みの既設の窓に対して、室内側から内窓を簡単な施工にて、頑丈に取り付けることができる後付け二重窓を提供する。【解決手段】  既設の下窓枠２１０の少なくとも一部を除去し、その空隙に対して後付け下窓枠体１１０を嵌め込んで取り付ける。後付け下窓枠体１１０は、内窓用の敷居を設けるための増厚部を供する肉厚がある。また、既設の右窓枠２２０に対して後付け右窓枠体１２０を取り付ける。後付け右窓枠体１２０は、側支持片１２１と増厚部の肉厚を供する増厚片１２２を備えている。後付け上窓枠体１４０、後付け左窓枠体１３０についても同様とする。この増厚した部分に内窓用の鴨居および敷居を取り付け、内窓を取り付ける。後付け下窓枠体１１０を埋め込む幅を既設の右窓枠２２０から既設の左窓枠２３０の下部領域に及ぶ範囲とすることもでき、躯体と既設の右窓枠２２０および既設の左窓枠２３０の間に後付け下窓枠体１１０を挟持できる。【選択図】  図１
2014163070.tif 000002
【特許請求の範囲】
【請求項１】
躯体窓開口部に既設の窓部分に対して、後付けにて内窓用の窓枠と内窓を取り付ける後付け二重窓であって、
前記既設の上窓枠、既設の右窓枠、既設の左窓枠のそれぞれに対して後付けで取り付ける部材であって、既設の各窓枠の内面側に沿う側支持片と、前記既設の各窓枠の室内側の表面を覆うとともに前記内窓用の鴨居を設けるための増厚部の肉厚を供する増厚片とを備えた、後付け上窓枠体、後付け右窓枠体、および、後付け左窓枠体と、
前記既設の下窓枠の少なくとも一部を除去して入れ替える部材であり、除去した部材の空隙を埋めるとともに、前記内窓用の敷居を設けるための増厚部を供する肉厚を備えた後付け下窓枠体と、
前記後付け上窓枠体、前記後付け右窓枠体、前記後付け左窓枠体、前記後付け下窓枠体の各々の前記増厚部に設けた内窓用の鴨居および敷居と、
前記内窓用の鴨居および敷居に取り付けた内窓を備えた二重窓。
【請求項２】
前記後付け下窓枠体のうち、除去された前記既設の下窓枠の空隙よりも前記室内側に位置する前記増厚部の横幅が、前記後付け右窓枠体の下部領域から前記後付け左窓枠体の下部領域に及ぶ大きさであり、前記後付け右窓枠体の下面および前記後付け左窓枠体の下面が前記後付け下窓枠体の前記増厚部の上に当接するよう立設できることを特徴とする請求項１に記載の二重窓。
【請求項３】
前記後付け下窓枠体を埋め込むために除去する元の前記既設の窓枠の範囲が、前記既設の下窓枠の全体と前記既設の右窓枠の下部領域および前記既設の左窓枠の下部領域に及ぶ範囲であり、入れ替えた前記後付け下窓枠体が、左右の端部において、前記既設の右窓枠および前記既設の左窓枠の下に入り込んで当接した状態で嵌合されていることを特徴とする請求項１または２に記載の二重窓。
【請求項４】
前記後付け上窓枠体の前記増厚片の大きさが、前記後付け右窓枠および前記後付け左窓枠の上部に及ぶものであり、前記後付け上窓枠体が、その左右の端部において、前記後付け右窓枠および前記後付け左窓枠の上面に当接した状態で取り付けされていることを特徴とする請求項１乃至３のいずれか１項に記載の二重窓。
【請求項５】
少なくとも前記内窓用の鴨居および敷居の一部が、前記既設の窓枠よりも室内側に設けられていることを特徴とする請求項１乃至４のいずれか１項に記載の二重窓。
【請求項６】
前記後付け上窓枠体、前記後付け右窓枠体、前記後付け左窓枠体、前記後付け下窓枠体が、木材で製作されたものである請求項１乃至５のいずれか１項に記載の二重窓。
【発明の詳細な説明】
【技術分野】
【０００１】
本発明は、施工済みの窓に対して、室内側から内窓を簡単な施工にて取り付けることができる後付け二重窓に関する。
【背景技術】
【０００２】
従来技術において、室外側窓の内側に室内側窓を配置し、これにより、所定の防寒、防音効果を達成する二重窓が知られている。二重窓は外窓と内窓の間に空気層を設けることにより断熱性を向上させることができ、また、防音性も向上させることができる。冬季であれば、二重窓は一枚の窓に比べて窓部を通じた熱の放射量が小さくなり、また、内窓自体の温度も外窓に比べて高く、室内の湿気による結露が少なくなるというメリットが得られる。夏季であれば、二重窓は一枚の窓に比べて窓部を通じた冷気の放射量が小さくなり、室内の冷房が効率的に行うことができるというメリットがある。
【０００３】
もともと建築設計上、二重窓を採用した不動産物件であれば上記の二重窓のメリットは何の問題なく得られるが、窓が二重窓ではない既存の家屋において、後からのリフォームなどで二重窓に変更したいという強いニーズが存在する。
ここで、建物の窓部分の躯体の工事と併せた大規模な窓枠の工事を行うことも可能であるが、むしろ窓部そのものや窓部の躯体には工事を不要とし、室内側から内窓を簡単な施工にて取り付けることができる後付け二重窓に対するニーズが大きい。
【０００４】
図１５は、一般の窓部分に対して、既設の窓枠を利用してそのまま内窓を取り付ける様子を示す図である。
既設の窓枠は、当然一枚の窓を取り付けることしか想定していないので、当然に窓枠の厚みは大きくない。その窓枠に対してそのまま無理に取り付ける様子が図１５の状態である。図１５に示すように、外窓１０に対してすぐ隣接して内窓２０を取り付けることとなる。もちろんこのような状態でも二重窓としてのメリットは得られるが、外窓と内窓の間の空気層の厚みが小さいものとなってしまう。二重窓のメリットは外窓と内窓の間に十分な厚みの空気層を持たせることにより得られるものであるので、その空気層の厚みが薄いものであれば効果も半減してしまうという問題がある。
【０００５】
そこで、従来技術の二重窓としては、例えば、実用新案登録第３０１２７２５号が知られている。図１６は、従来技術における実用新案登録第３０１２７２５号に開示された二重窓を示す図である。図１６に示すように、従来の二重窓は、躯体開口部に装着された額縁の室内側端面に追加額縁を連結し、これらの各額縁内に室内側窓を設けた構成が示されている。
【０００６】
また、従来技術の二重窓としては、例えば、実公昭６２−２２６２４号が知られている。図１７は、従来技術における実公昭６２−２２６２４号に開示された二重窓を示す図である。図１７に示すように、従来の二重窓は、鴨居と敷居に上枠及び下枠をそれぞれ取り付け、これらの枠間に室内側窓を装着した構成が提案されている。
【０００７】
【特許文献１】実用新案登録第３０１２７２５号
【特許文献２】実公昭６２−２２６２４号
【発明の開示】
【発明が解決しようとする課題】
【０００８】
上記したように、既設の窓枠を利用して、十分な空気層の厚みを確保しつつ、外付けで内窓を取り付けるためには、既設の窓枠の厚みを内側に拡げるように確保し、外窓からできるだけ離して室内側に内窓を設けることが効果的である。
上記従来技術における二重窓は、その目的で既設の窓枠の厚みを増やして内窓を取り付けようとするものであった。
【０００９】
しかし、上記従来技術における二重窓には以下の問題があった。
実開昭５９−６９３８８号公報に開示された二重窓にあっては、躯体開口部内に配置された既設の窓枠に対して後付けの窓枠を固定するに当たり、内側の窓枠の上に後付けの窓枠を被せるように取り付けるものであり、ダボを介した取り付け方式や、ネジを用いた取り付け方式を採用するものである。二重窓の厚みを十分に取りたい場合には後付けする窓枠の厚みが大きくならざるを得ず、長いネジを多数打ち込むとなると、外付け窓枠の割れが生じやすくなったり、室内側の装飾を損なったりするおそれがあった。
また、上記の二重窓においては、後付け窓および後付け窓枠の重量が比較的重くなることが多く、既設の窓枠に後付け窓枠を被せてねじ止めするのみでは構造強度的な問題が生じることもあり得る。
【００１０】
また、前記実公昭６２−２２６２４号公報に開示された二重窓にあっては、室内側窓取り付け用の上下枠を位置調整可能とするために、複数の部品点数を要する構造が不可避であり、かつ、構造も複雑化し、後付けタイプの二重窓を施工するには適合範囲が制限されて汎用性に欠けるという不都合があった。
【００１１】
本発明は、上記した従来の二重窓の様々な問題点に鑑みてなされたものであり、施工済みの既設の窓に対して、室内側から内窓を簡単な施工にて、頑丈に取り付けることができる後付け二重窓を提供することを目的とする。
【課題を解決するための手段】
【００１２】
上記目的を達成するため、本発明の後付け二重窓は、躯体窓開口部に既設の窓枠と外窓が取り付けられている既設の窓部に対して、後付けにて内窓用の窓枠と内窓を取り付けた後付け二重窓であって、前記既設の上窓枠、既設の右窓枠、既設の左窓枠のそれぞれに対して後付けで取り付ける部材であって、既設の各窓枠の内面側に沿う側支持片と、前記既設の各窓枠の室内側の表面を覆うとともに前記内窓用の鴨居を設けるための増厚部の肉厚を供する増厚片とを備えた、後付け上窓枠体、後付け右窓枠体、および、後付け左窓枠体と、前記既設の下窓枠の少なくとも一部を除去して入れ替える部材であり、除去した部材の空隙を埋めるとともに、前記内窓用の敷居を設けるための増厚部を供する肉厚を備えた後付け下窓枠体と、前記後付け上窓枠体、前記後付け右窓枠体、前記後付け左窓枠体、前記後付け下窓枠体の各々の前記増厚部に設けた内窓用の鴨居および敷居と、前記内窓用の鴨居および敷居に取り付けた内窓を備えた二重窓である。
【００１３】
上記構成において、前記後付け下窓枠体のうち、除去された前記既設の下窓枠の空隙よりも前記室内側に位置する前記増厚部の横幅が、前記後付け右窓枠体の下部領域から前記後付け左窓枠体の下部領域に及ぶ大きさであり、前記後付け右窓枠体の下面および前記後付け左窓枠体の下面が前記後付け下窓枠体の前記増厚部の上に当接するよう立設できることがこのましい。
また、上記構成において、前記後付け上窓枠体の前記増厚片の大きさが、前記後付け右窓枠および前記後付け左窓枠の上部に及ぶものであり、前記後付け上窓枠体が、その左右の端部において、前記後付け右窓枠および前記後付け左窓枠の上面に当接した状態で取り付けされていることが好ましい。
上記の構成であれば、後付け下窓枠体は、元の既設の下窓枠と入れ替えて躯体の窓開口に直接強固に取り付けられているため、後付け下窓枠体が強固に取り付けられて支持された状態となれば、他の後付けする後付け右窓枠体、後付け左窓枠体、後付け上窓枠体についても取り付けおよび組み合わせの結果、安定して支持された状態となる。
【００１４】
また、上記構成において、前記後付け下窓枠体を埋め込むために除去する元の前記既設の窓枠の範囲が、前記既設の下窓枠の全体と前記既設の右窓枠および前記既設の左窓枠の下部領域に及ぶ範囲であり、入れ替えた前記後付け下窓枠体が、左右の端部において、前記既設の右窓枠および前記既設の左窓枠の下に入り込んで当接した状態で嵌合されており、前記後付け右窓枠および前記後付け左窓枠の下面が前記後付け下窓枠体の増厚部により支持されていることが好ましい。
【００１５】
特に、上記構成では、後付け下窓枠体は、元の既設の下窓枠と入れ替えて躯体の窓開口に直接強固に取り付けられている上、その端部において、既設の右窓枠および既設の左窓枠の下に入り込んで当接した状態で嵌合されている。それら既設の右窓枠および既設の左窓枠は元々から躯体の窓開口に直接強固に取り付けられているので、後付け下窓枠体はそれら既設の右窓枠および既設の左窓枠の下部に入り込んで嵌合しているため、極めて強固に取り付けられ、構造的強度が大きいものとなっている。一方、後付け右枠体および後付け左枠体とも後付け下窓枠体に立設する形で支持されており安定した状態となる。またさらに、後付け上枠体は、後付け右枠体および後付け左枠体の上に乗る形で支持されており、すべての部材が安定した状態となっている。
【００１６】
上記のように、後付け上窓枠体、後付け右窓枠体、後付け左窓枠体、後付け下窓枠体ともに強固に取り付けられて組み合わされているため、内窓用の鴨居、敷居、内窓の重量をしっかりと支持することができる。そのため、少なくとも内窓用の鴨居および敷居の一部を既設の窓枠よりも室内側に設けることも可能となる。
【００１７】
後付け上窓枠体、前記後付け右窓枠体、前記後付け左窓枠体、前記後付け下窓枠体はそれぞれ、高級感のある木材で製作することが好ましい。例えば、ヒノキ、スギ、マツ、キリ、カシ、オーク、マホガニー、ウォールナット、ブナ、チーク、紫檀、黒檀などを採用することができる。その他の木材でも良いことはいうまでもない。もちろん、利用者の好みに応じてアルミやステンレスなどの金属製とすることもできる。
【発明の効果】
【００１８】
本発明の後付け二重窓によれば、施工済みの窓に対して、室内側から内窓を簡単な施工にて取り付けることができる。また、肉厚を十分に取ることができるため、外窓と内窓の間に十分な厚みの空気層を確保することができ、断熱性、防音性、結露防止などの優れた効果を発揮することができる。
また、アルミサッシなどの既設の窓枠に対して、木製の持つ柔らかさ、香りなどを楽しむことができ、一種の森林浴のような安らぎを得ることもできる。
【発明を実施するための最良の形態】
【００１９】
以下、図面を参照しつつ、本発明の後付け二重窓の実施例を説明する。ただし、本発明の範囲は以下の実施例に示した具体的な用途、形状、個数などには限定されないことは言うまでもない。
【実施例１】
【００２０】
本実施例１に示す後付け二重窓１００の構成例を説明する。
図１は、本実施例１の後付け二重窓１００の外観を示す図および二重窓１００を取り付ける前の状態の既設の窓の様子を示す図であり、図２は、後付け二重窓１００の内部構造をＡ−Ａ線の断面で見た横断面図となっている。また、図３は、後付け二重窓１００の内部構造をＢ−Ｂの断面で見た縦断面図となっている。
後付け二重窓１００は、後付け下窓枠体１１０、後付け右窓枠体１２０、後付け左窓枠体１３０、後付け上窓枠体１４０、内窓用鴨居１５０、内窓用敷居１６０、内窓１７０を備えた構成となっている。なお、既設の部材として、既設の下窓枠２１０、既設の右窓枠２２０、既設の左窓枠２３０、既設の上窓枠２４０、外窓用鴨居２５０、外窓用敷居２６０、外窓２７０が併せて図示されている。
【００２１】
図１に示すように、後付け二重窓１００は、躯体開口部に既設の窓枠と外窓が取り付けられている既設の窓部に対して、後付け施工にて、内窓用の窓枠と内窓を取り付けて完成させる後付けの二重窓である。
【００２２】
以下、本発明の後付け二重窓１００の各部の構成について説明する。
まず、後付け下窓枠体１１０は、既設の下窓枠の少なくとも一部を除去して入れ替える部材であり、除去した部材の空隙を埋めるとともに、内窓用の敷居を設けるための増厚部を供する肉厚を備えた部材である。
図１に示した構成例では、後付け下窓枠体１１０は単なる矩形の木材片となっている。
【００２３】
後付け下窓枠体１１０の見付け（横方向の幅）は、既設の窓枠を除去する部分の幅である。この構成例では、後述するように、既設の下窓枠２１０をすべて除去し、さらに、既設の右窓枠２２０の下面から既設の左窓枠２３０の下面に及ぶ範囲も除去するため、既設の下窓枠２１０の幅Ｗ０よりも大きく、既設の右窓枠２２０の下面から既設の左窓枠２３０の下面に及ぶ幅Ｗ１となっている。
このように、後付け下窓枠体１１０の見付け（横方向の幅）がＷ１であれば、後述するように、既設の元の窓枠を後付け下窓枠体１１０にて入れ替えたとき、後付け下窓枠体１１０の左右の端部が、既設の右窓枠２２０および既設の左窓枠２３０の下に入り込んで当接した状態で嵌合された状態となり、後述するように極めて安定した状態となる。
【００２４】
後付け下窓枠体１１０の見込み（奥行方向の幅）は、除去した既設の窓枠の奥行の幅分に加え、内窓用の敷居を設けるための増厚部を供する幅分も備えている。この例では、既設の下窓枠２１０をすべて除去してしまうため、既設の下窓枠２１０の見込み（奥行き方向の幅）Ｄ０をカバーし、さらに室内側に内窓用の敷居を設けるための増厚部の見込み（奥行き方向の幅）を加えたＤ１となっている。
この幅Ｗ１、奥行Ｄ１の矩形を一体の木材にて製作することが好ましい。継手などがない一体の木材の方がその構造強度が大きくできるからである。
【００２５】
次に、後付け右窓枠体１２０は、既設の右窓枠２２０に対して後付けで取り付ける部材である。既設の右窓枠２２０の内面側に沿う側支持片１２１と、既設の右窓枠２２０の室内側の表面を覆うとともに内窓用の鴨居および敷居の幅に対応する部位を設けるための増厚部の肉厚を供する増厚片１２２とを備えたものとなっている。
この構成例では、図１および図２に示すように、後付け右窓枠体１２０は既設の右窓枠２２０を覆うように取り付けられ、さらに、内窓用の敷居を設けるための増厚部を供する形となっている。図１の構成例では、後付け右窓枠体１２０の横方向の幅はＷ２、後付け右窓枠体１２０の見込みは、既設の右窓枠２２０の見込みＤ０をカバーし、さらに室内側に内窓用の鴨居および敷居の幅に対応する部位を設けるための増厚部の見込みを加えたＤ１となっている。
【００２６】
次に、後付け左窓枠体１３０は、既設の左窓枠２３０に対して後付けで取り付ける部材である。既設の左窓枠２３０の内面側に沿う側支持片１３１と、既設の左窓枠２３０の室内側の表面を覆うとともに内窓用の鴨居および敷居の幅に対応する部位を設けるための増厚部の肉厚を供する増厚片１２２とを備えたものとなっている。この構成例では上記の後付け右窓枠体１２０と同様、後付け左窓枠体１３０の横方向の幅はＷ２、後付け左窓枠体１３０の奥行の幅はＤ１となっている。
【００２７】
次に、後付け上窓枠体１４０は、既設の上窓枠２４０に対して後付けで取り付ける部材である。既設の上窓枠２４０の内面側に沿う側支持片１４１と、既設の上窓枠２４０の室内側の表面を覆うとともに内窓用の鴨居を設けるための増厚部の肉厚を供する増厚片１４２とを備えたものとなっている。
【００２８】
この構成例では、図１に示すように、後付け上窓枠体１４０は既設の上窓枠２４０を覆うように取り付けられ、さらに、内窓用の鴨居を設けるための増厚部を供する形となっている。図１の構成例では、後付け上窓枠体１４０の見付け方向の幅は、後付け下窓枠体１１０と同様にＷ１であり、後付け上窓枠体１４０の見込みはＤ１となっている。
【００２９】
このように、後付け上窓枠体１４０の見付けがＷ１であれば、後述するように、後付け上窓枠体１４０を既設の上窓枠２４０に取り付けた状態において、後付け上窓枠体１４０の左右の端部が、既設の右窓枠２２０および既設の左窓枠２３０の上に乗る形で当接して嵌合された状態となり、後述するように極めて安定した状態となる。
【００３０】
内窓用鴨居１５０は、後付け上窓枠体１４０の増厚片１４２に設けられた内窓のレールであり、外窓２７０と内窓１７０の間の空気層の厚みを大きくするため、内窓用鴨居１５０が、既設の上窓枠１４０よりも室内側に設けられていることが好ましい。
【００３１】
内窓用敷居１６０は、後付け下窓枠体１１０の増厚片１１２に設けられた内窓のレールであり、内窓用鴨居１５０に対応した位置に設けられている。内窓用鴨居１５０と同様、内窓用敷居１６０も外窓２７０と内窓１７０の間の空気層の厚みを大きくするため、内窓用敷居１６０は既設の上窓枠１４０よりも室内側に設けられていることが好ましい。
【００３２】
内窓１７０は、内窓用鴨居１５０、内窓用敷居１６０に取り付けられる室内側の内窓である。
【００３３】
次に、本発明の二重窓１００の取り付け施工の手順と、各部材の組み合わせの様子を説明する。図４は本発明の二重窓１００の取り付け施工の手順を示すフローチャートである。
【００３４】
［手順１］
まず、リフォームする箇所の躯体窓開口部にある既設の窓枠のうち、既設の下窓枠１１０の少なくとも一部を除去する（図４ステップＳ１）。
ここでは、既設の下窓枠２１０をすべて除去するものとする。さらに、既設の右窓枠２２０の下部、既設の左窓枠２３０の下部も除去する。つまり、図５（ａ）から図５（ｂ）、図６（ａ）から図６（ｂ）に示すように、既設の窓枠の一部が除去され、幅Ｗ１，奥行Ｄ０にわたる空隙が現れる。
【００３５】
［手順２］
手順１で除去した既設の窓枠部分の空隙に対して後付け下窓枠体１１０を嵌め込んで空隙を埋めるように入れる（図４ステップＳ２）。除去した既設の窓枠と入れ替えるように後付け下窓枠体１１０を嵌め込み、図７（ａ）から図７（ｂ）、図８（ａ）から図８（ｂ）に示すように、後述する敷居を設ける肉厚に相当する増厚部の奥行の厚み分、壁面から突出する状態となる。
【００３６】
［手順３］
次に、後付け右窓枠体１２０および後付け左窓枠体１３０をそれぞれ既設の右窓枠２２０および既設の左窓枠２３０に取り付ける（図４ステップＳ３）。
この構成例では図９（ａ）から図９（ｂ）に示すように、既設の右窓枠２２０の内面側に対して、右窓枠体１２０の側支持片１２１を沿わせ、増厚片１２２を既設の右窓枠２２０の室内側の表面を覆うように取り付ける。取り付ける方法は、接着剤であってもネジや釘であっても良い。
図９（ｂ）に示すように、後述する敷居や鴨居を設ける肉厚に相当する増厚部の見込み相当分、壁面から突出する状態となる。
なお、図１０（ａ）から図１０（ｂ）に示すように、後付け右窓枠体１２０および後付け左窓枠体１３０は、後付け下枠体１１０の上に立設するように設けられるため、極めて安定して支持されている後付け下枠体１１０同様、後付け右窓枠体１２０および後付け左窓枠体１３０も安定して立設される。
【００３７】
［手順４］
次に、後付け上窓枠体１４０を既設の上窓枠２４０に対して取り付ける（図４ステップＳ４）。
図１１（ａ）から図１１（ｂ）に示すように、既設の上窓枠２４０の内面側に対して、上窓枠体１４０の側支持片１４１を沿わせ、増厚片１４２を既設の上窓枠２４０の室内側の表面を覆うように取り付ける。取り付ける方法は、接着剤であってもネジや釘であっても良い。
なお、図１２（ａ）から図１２（ｂ）に示すように、後付け上枠体１４０は、後付け右窓枠体１２０および後付け左窓枠体１３０の上に立設するように設けられるため、後付け右窓枠体１２０および後付け左窓枠体１３０同様、安定して立設される。
【００３８】
［手順５］
既設の上窓枠２４０に内窓用鴨居１５０を取り付け、既設の下窓枠１１０に内窓用敷居１６０を取り付ける（図４ステップＳ５）。
【００３９】
［手順６］
最後に内窓１７０を内窓用鴨居１５０および内窓用敷居１６０に対して取り付ける（図４ステップＳ６）。
以上が、本発明の二重窓の取り付け手順の一例である。
【００４０】
次に、各構成部材が強固に取り付けられている点について説明する。
まず、下窓枠体１１０について説明する。この構成例では、下窓枠体１１０の横幅はＷ１であるので、図８（ｂ）に示すように、下窓枠体１１０は、既設の下窓枠２１０と入れ替わって躯体の開口部に取り付けられるうえ、さらに、既設の右窓枠２２０および既設の左窓枠２３０の下に入り込む形で嵌合している。
【００４１】
もともと、既設の右窓枠２２０および既設の左窓枠２３０は躯体の窓開口に強固に取り付けられているところ、図８（ｂ）に示すように、その下部において、躯体の開口部と既設の右窓枠２２０および既設の左窓枠２３０との間に挟持されるように嵌め込まれているため、きわめて強固に安定した状態となる。つまり、上面において、躯体の窓開口に強固に取り付けられている既設の右窓枠２２０および既設の左窓枠２３０に当接し、下面において、躯体の窓開口に当接し、強固に挟持され、極めて安定した状態となる。
【００４２】
次に、後付け右窓枠体１２０および後付け左窓枠体１３０は、この構成例では、下窓枠体１１０の横幅はＷ１であり、奥行はＤ１であるので、図１０に示すように、後付け右窓枠体１２０および後付け左窓枠体１３０が取り付けられる箇所の直下に下窓枠体１１０が存在している。そのため、後付け右窓枠体１２０および後付け左窓枠体１３０は、下窓枠体１１０の上に乗る形で支持されるため、強固に安定した状態となる。
【００４３】
次に、後付け上窓枠体１４０は、この構成例では、上窓枠体１４０の横幅はＷ１であり、その奥行はＤ１であるので、図１２に示すように、上窓枠体１４０は、既設の上窓枠２４０に取り付けるだけでなく、後付け右窓枠体１２０および後付け左窓枠体１３０の上に乗るように支えられるため、強固に安定した状態となる。
【００４４】
以上、本発明の後付け二重窓によれば、施工済みの窓に対して、室内側から内窓を簡単な施工にて取り付けることができる。また、肉厚を十分に取ることができるため、外窓と内窓の間に十分な厚みの空気層を確保することができ、断熱性、防音性、結露防止などの優れた効果を発揮することができる。また、取り付けた部材が強固に安定した状態となるため、構造的強度も確保することができる。
また、アルミサッシなどの既設の窓枠に対して、木製の持つ柔らかさ、香りなどを楽しむことができ、一種の森林浴のような安らぎを得ることもできる。
【実施例２】
【００４５】
実施例２では、後付け下窓枠体１１０の幅に関して実施例１とは異なる構成例を示す。
実施例１では、後付け下窓枠体１１０を直方体の木材とし、その横方向の幅をＷ１、その奥行の幅をＤ１と大きくとったものであった。既設の窓枠において除去する範囲も、既設の下窓枠体２１０の全部、既設の右窓枠２２０の下部領域、既設の左窓枠２３０の下部領域まで除去して、後付け下窓枠体１１０を埋め込むものであった。
この実施例２では、既設の窓枠において除去する範囲を既設の下窓枠体２１０の全部にとどめ、既設の右窓枠２２０の下部領域、既設の左窓枠２３０の下部領域はそのまま残す場合の工法に関するものである。既設の右窓枠２２０の下部領域、既設の左窓枠２３０の下部領域までを除去することは、施工上、既設の下窓枠体２１０のみを除去するのに比べて手数がかかるため、既設の下窓枠体２１０のみの除去に抑えて施工を簡単にすることが可能となる。
【００４６】
図１３は、実施例２に用いる後付け下窓枠体１１０ａの簡単な外観を示す図である。図１３に示すように、既設の窓枠を除去した範囲に対応する埋め込み部分１１１はその横幅がＷ０に抑えられている。一方、内窓用敷居１５０を設ける増厚部１１２はその幅がＷ１となっている。後付け下窓枠体１１０ａの埋め込み部分１１１の横幅がＷ０に抑えられているのは、既設の窓枠において除去する範囲である既設の下窓枠体２１０の横幅Ｗ０に対応したものであるが、後付け下窓枠体１１０ａの増厚部１１２の幅がＷ１となっているのは、実施例１に見たように、後付け右窓枠体１２０の下面および後付け左窓枠体１３０の下面にまで後付け下窓枠体１１０ａの増厚部１１２を拡張しておけば、後付け右窓枠体１２０と後付け左窓枠体１３０を下面から当接するように支持し、両者を立設できるためである。
【００４７】
後付けの部材のうちもっとも強固に取り付けられるものは後付け下窓枠体１１０ａであるため、後付け右窓枠体１２０と後付け左窓枠体１３０を、既設の右窓枠２２０と既設の左窓枠２３０に対する取り付けのみならず、後付け下窓枠体１１０ａの上に立設できれば、より強固に取り付けることができる。
【００４８】
図１４（ａ）に示すように、既設の窓枠において除去する範囲を既設の下窓枠体２１０の全部にとどめ、図１４（ｂ）に示すように、後付け下窓枠体１１０ａを空隙に埋め込む。この図１４（ｂ）の状態は、増厚部１１２に関しては実施例１で示した図８（ｂ）と同じ状態となる。以降の施工手順は実施例１と同様で良い。
【００４９】
以上、本発明の好ましい実施形態を図示して説明してきたが、本発明は、後付けの二重窓として広く適用することができる。
本発明の技術的範囲を逸脱することなく種々の変更が可能であることは理解されるであろう。従って本発明の技術的範囲は添付された特許請求の範囲の記載によってのみ限定されるものである。
【図面の簡単な説明】
【００５０】
【図１】本実施例１の後付け二重窓１００の外観を示す図および二重窓１００を取り付ける前の状態の既設の窓の様子を示す図である。
【図２】後付け二重窓１００の内部構造をＡ−Ａ線で見た横断面図である。
【図３】後付け二重窓１００の内部構造をＢ−Ｂ線で見た縦断面図である。
【図４】本発明の二重窓１００の取り付け施工の手順を示すフローチャートである。
【図５】既設の下窓枠２１０の全部と、既設の右窓枠２２０の下部および既設の左窓枠２３０の下部を除去する様子を示した図（縦断面図）である。
【図６】既設の下窓枠２１０の全部と、既設の右窓枠２２０の下部および既設の左窓枠２３０の下部を除去する様子を示した図（斜視図）である。
【図７】除去した既設の窓枠の空隙に対して、後付け下窓枠体１１０を嵌め込んで取り付ける様子を示す図（縦断面図）である。
【図８】除去した既設の窓枠の空隙に対して、後付け下窓枠体１１０を嵌め込んで取り付ける様子を示す図（斜視図）である。
【図９】既設の右窓枠２２０および既設の左窓枠２３０に対して、後付け右窓枠体１２０および後付け左窓枠体１３０を取り付ける様子を示した図（横断面図）である。
【図１０】既設の右窓枠２２０および既設の左窓枠２３０に対して、後付け右窓枠体１２０および後付け左窓枠体１３０を取り付ける様子を示した図（斜視図）である。
【図１１】既設の上窓枠２４０に対して、後付け上窓枠体１４０を取り付ける様子を示した図（縦断面図）である。
【図１２】既設の上窓枠２４０に対して、後付け上窓枠体１４０を取り付ける様子を示した図（斜視図）である。
【図１３】実施例２で用いる後付け下窓枠体１１０ａの簡単な外観を示す図である。
【図１４】既設の下窓枠２１０を除去した空隙に対して、実施例２で用いる後付け下窓枠体１１０ａを嵌め込んで取り付ける様子を示す図（斜視図）である。
【図１５】一般の窓部分に対して、既設の窓枠を利用してそのまま内窓を取り付ける様子を示す図（従来技術）である。
【図１６】従来技術における実用新案登録第３０１２７２５号に開示された二重窓を示す図（従来技術）である。
【図１７】従来技術における実公昭６２−２２６２４号に開示された二重窓を示す図（従来技術）である。
【符号の説明】
【００５１】
１００  後付け二重窓
１１０  後付け下窓枠体
１２０  後付け右窓枠体
１２１，１３１，１４１  側支持片
１２２，１３２，１４２  増厚片
１３０  後付け左窓枠体
１４０  後付け上窓枠体
１５０  内窓用鴨居
１６０  内窓用敷居
１７０  内窓１７０
２１０  既設の下窓枠
２２０  既設の右窓枠
２３０  既設の左窓枠
２４０  既設の上窓枠
２５０  外窓用鴨居
２６０  外窓用敷居
２７０  外窓
【図１】
2014163070.tif 000003
【図２】
2014163070.tif 000004
【図３】
2014163070.tif 000005
【図４】
2014163070.tif 000006
【図５】
2014163070.tif 000007
【図６】
2014163070.tif 000008
【図７】
2014163070.tif 000009
【図８】
2014163070.tif 000010
【図９】
2014163070.tif 000011
【図１０】
2014163070.tif 000012
【図１１】
2014163070.tif 000013
【図１２】
2014163070.tif 000014
【図１３】
2014163070.tif 000015
【図１４】
2014163070.tif 000016
【図１５】
2014163070.tif 000017
【図１６】
2014163070.tif 000018
【図１７】
2014163070.tif 000019